(57)【要約】【課題】伸縮時の操作性が優れ、かつ片手で伸縮操作できるストラップを提供する。【解決手段】外枠４ａと、外枠４ａの内側に配設された中軸４ｂとを備え、中軸４ｂを挟んで挿通口４ｃ、４ｄが併設されたコキ４と、一端側及び他端側を備え、他端側がコキ４の中軸４ｂに止着され、一端側と他端側の間の折返し部で折り返され、かつ折返し部と一端側の間で挿通口に挿通されたストラップ本体１と、折返し部と挿通口４ｄの間でストラップ本体１に取り付けられ、かつストラップ本体１を挿通口４ｄから引き出す操作片６と、操作片６をストラップ本体１の一端側に固定する、面ファスナ７、８と、を備えることを特徴とする伸縮自在なストラップ２０。【選択図】図１
2009165773.tif 000002
【特許請求の範囲】
【請求項１】
ストラップ本体を挿通する挿通口が形成された枠体と、
一端側及び他端側を備え、前記他端側が前記枠体に止着され、前記一端側と前記他端側の間の折返し部で折り返され、かつ前記折返し部と前記一端側の間で前記挿通口に挿通されたストラップ本体と、
前記折返し部と前記挿通口の間で前記ストラップ本体に取り付けられ、かつ前記ストラップ本体を前記挿通口から引き出す操作体と、
前記操作体を前記ストラップ本体の前記一端側に固定する固定手段と、
を備えることを特徴とする伸縮自在なストラップ。
【請求項２】
前記枠体は、外枠と、前記外枠の内側に配設された中軸とを備え、前記中軸を挟んで第１挿通口と第２挿通口が併設された第１コキであり、
前記ストラップ本体の前記他端側は、前記中軸に止着され、
前記折返し部と前記一端側の間において、前記ストラップ本体は、前記第１挿通口と前記第２挿通口を順次挿通され、
前記操作体は、前記第１挿通口と前記第２挿通口の間で前記ストラップ本体に取り付けられることを特徴とする請求項１に記載のストラップ。
【請求項３】
前記枠体が、サルカンから構成され、
前記ストラップ本体の前記一端側から前記他端側までの長さを調節する第２コキが、前記ストラップ本体の前記一端側又は前記他端側に装着されることを特徴とする請求項１に記載のストラップ。
【発明の詳細な説明】
【技術分野】
【０００１】
本発明は、バッグ、その他の携行品に取り付けられるストラップに関し、特に片手で迅速に伸縮操作できるストラップ及びこのストラップを備えたバッグに関する。
【背景技術】
【０００２】
ショルダストラップ（以下、単にストラップということがある）をバッグに取り付けていると、ストラップを肩に掛けてバッグを持ち歩くことができるので、バッグが重い場合に便利であり、また、ユーザが両手を使うことができる。しかし、ストラップを肩に掛けないときには、ストラップがバッグ本体から垂れ下がってしまう。この状態で、手でバッグを持って歩くと、垂れ下がったストラップがものに引掛ってしまうことがある。また、バッグを、地面又は建物、電車の床に一時的に置くときに、ストラップが地面に触れて衛生上好ましくない。さらに、垂れ下がったストラップは、格好が悪い。したがって、ストラップを使用しない場合には、長さを縮めておけばよいが、その操作は手間がかかる。特に、ストラップ付きのバッグを使用する主なユーザであるビジネスマンの多くは、時間に追われていることもあり、ストラップの伸縮操作を煩雑と考えている。
【０００３】
このようなビジネスマンの味方といえるストラップが特許文献１〜３に記載されている。
図１１は、特許文献３に開示されているストラップを示しており、（ａ）はストラップの構造を示す概略図、（ｂ）はストラップが伸長された状態の概略図である。
図１１において、ストラップ１００は、第１スリット１０４及び第３スリット１０５が形成され、その間に画成された中軸１０３を有する第１ガイド１０２と、第１ガイド１０２と対向して移動可能に配置され、第２スリット１０８及び第４スリット１０９が形成され、それらの間に画成された中軸１０７を有する第２ガイド１０６と、一端が中軸１０７に連結された単一のストラップ本体１０１とを備える。ストラップの一端１０１ａが第２ガイド１０６の中軸１０７に連結されており、ストラップ本体１０１が第１ガイド１０２と第２ガイド１０６との間に４重に重なって存在する。ストラップ本体１０１の他端１０１ｂは第１ガイド１０２の第３スリット１０５、リング１１１の開口、第１スリット１０４を通って第２ガイド１０６に向かい、第２スリット１０８、第４スリット１０９を順次通った後、第１ガイド１０２に向かい、再度、第３スリット１０５、リング１１１の開口、第１スリット１０４を順次通って、最後に第２ガイド１０６に戻って第２スリット１０８を通過している。すなわちクリップ１１０を第２ガイド１０６から離れる向きに引っ張ると、図１１（ｂ）に示すように、第２ガイド１０６が第１ガイド１０２に接触するまで第１ガイド１０２に近づき、ストラップ本体１０１が引き出される。以上の動作から、ストラップ１００は、定滑車（第１ガイド１０２が相当）と動滑車（第２ガイド１０６が相当）を組み合わせた機構（以下、滑車機構と称する）に相当する。
【０００４】
図１２にストラップ１００をバッグ１２０に取り付けた例を示している。
図１２において、ストラップ１００のリング１１１をバッグ１２０上面の端部近傍または側面の上方に取り付け、クリップ１１０の代わりに、バックルの雄パーツ１１２を取り付ける。バックルは雄パーツ１１２とそれに着脱可能（ロック可能）な雌パーツ１１３からなり、雌パーツ１１３は、バッグ１２０の上面に設けられている。さらに、雌パーツ１１３と同じもう一つの雌パーツ１１３’が、リング１１１が設けられている位置と対向するバッグ１２０の上面の端部近傍または側面の上方に取り付けられている。図１１に示したように、ストラップ本体１０１が縮んで短く収納されているときは雄パーツ１１２が雌パーツ１１３に係合しており、ストラップ本体１０１を伸長したいときには、雄パーツ１１２を雌パーツ１１３から外して、雄パーツ１１２を引いてストラップ本体１０１をストラップ１００から引き出す。この操作により、第２ガイド１０６は第１ガイド１０２の方に接近し、最後に第１ガイド１０２に接合する。そして、雄パーツ１１２を今度は雌パーツ１１３’に係合させると、ストラップ本体１０１はショルダストラップとなる。ストラップ１００を収納するときは、雄パーツ１１２を雌パーツ１１３’から外して、第２ガイド１０６を第１ガイド１０２から引き離し、そして雄パーツ１１２を雌パーツ１１３に係合させればよい。第１ガイド１０２はバッグにリング１１１を通じて固定されているために第２ガイド１０６だけを片手で引くだけで元の長さに縮めることができる。
【０００５】
【特許文献１】特開２００２−３４５５３５号公報
【特許文献２】特開２００４−６５４４７号公報
【特許文献３】特開２００５−１９９００２号公報
【発明の開示】
【発明が解決しようとする課題】
【０００６】
特許文献３のストラップ１００は、以上説明したように、簡単にストラップを伸縮することができる、すぐれものである。
ところが、特許文献３のストラップ１００においても、以下のような問題がある。
ストラップ１００は、ストラップ本体１０１が重ねられた状態で伸縮されることにより、伸縮の操作がスムーズに行えない場合がある。すなわち、ストラップ１００は、単一のストラップが第１ガイド１０２と第２ガイド１０６の間を巻き回された構造を有しており、第１ガイド１０２と第２ガイド１０６の間において、ストラップ本体１０１は二重に積層されている。上述したように、ストラップ１００は滑車機構に相当するため、外側に位置するストラップ本体１０１の単位時間当たりの移動量が内側に位置するストラップ本体１０１の移動量よりも多い。この状態で、クリップ１１０（雄パーツ１１２）を第２ガイド１０６から離れる向きに引き離すと、積層されたストラップ本体１０１同士に摩擦力が発生し、引き離し操作への抵抗となる。特に、リング１１１に挿通されてストラップ本体１０１が折り返される部分、及び、中軸１０７のところでストラップ本体１０１が折り返される部分の摩擦力が大きく、伸縮時のスムーズな操作を阻害する。極端な場合には、内側に位置するストラップ本体１０１は蛇行してしまい、スリット１０４に噛み込まれるおそれがある。
本発明は、このような技術的課題に基づいてなされたもので、伸縮時の操作性が優れ、かつ片手で伸縮操作することのできるストラップを提供することを目的とする。また本発明は、片手で伸縮操作することのできるストラップを備えた便利なバッグを提供することを目的とする。
【課題を解決するための手段】
【０００７】
かかる目的のもと、本発明の伸縮自在なストラップは、ストラップ本体を挿通する挿通口が形成された枠体と、一端側及び他端側を備え、他端側が枠体に止着され、一端側と他端側の間の折返し部で折り返され、かつ折返し部と一端側の間で枠体の挿通口に挿通されたストラップ本体と、折返し部と挿通口の間でストラップ本体に取り付けられ、かつストラップ本体を挿通口から引き出す操作体と、操作体をストラップ本体の一端側に固定する固定手段と、を備えることを特徴とする。
【０００８】
以上の本発明によるストラップは、少なくとも２つの形態を含んでおり、枠体がコキの場合と、サルカンの場合とがある。
枠体がコキである第１の形態として、枠体は、外枠と、外枠の内側に配設された中軸とを備え、中軸を挟んで第１挿通口と第２挿通口が併設された第１コキであり、ストラップ本体の他端側は、中軸に止着され、折返し部と一端側の間において、ストラップ本体は、第１挿通口と第２挿通口を順次挿通され、操作体は、第１挿通口と第２挿通口の間でストラップ本体に取り付けられたものとすることができる。
枠体がサルカンの場合は、本発明によるストラップの第２の形態として、枠体が、サルカンから構成され、ストラップ本体の一端側から他端側までの長さを調節する第２コキが、ストラップ本体の一端側又は他端側に装着されたものとすることができる。
【発明の効果】
【０００９】
本発明によれば、伸縮時の操作性が優れ、かつ片手で伸縮操作することのできるストラップ、そのようなストラップを備えたバッグを提供することを目的とする。
【発明を実施するための最良の形態】
【００１０】
＜第１実施形態＞
以下、図１〜図３に基づいて、本発明の第１実施形態を説明する。
ストラップ２０は、単一のストラップ本体１と、ストラップ本体１の一端側が係止されるサルカン２と、ストラップ本体１が挿通され、かつストラップ本体１の他端側が連結されるコキ４（第１コキ）と、ストラップ本体１が挿通されるサルカン３と、コキ４に挿通されたストラップ本体１か挿通されるサルカン５とから概略構成されている。サルカン２、３は、おのおの金属製又はプラスチック製で、サルカン２は挿通口２ａを、サルカン３は挿通口３ａを備えている。また、コキ４もまた、金属製又はプラスチック製で、概略ロ字状の外枠４ａと、その中心部に中軸４ｂを形成し、ストラップ本体挿通口（以下、単に挿通口）４ｃ、４ｄを併設した構造になっている。
【００１１】
ストラップ本体１は、木綿、ポリエステル、ポリプロピレン、ナイロン等の従来公知の素材から構成することができる。もちろん、本発明は、ストラップ本体１に使用される素材を制限するものでない。ストラップ本体１は単一の素材から構成することができるし、異なる材質から構成することもできる。例えば、肩に掛ける部分を滑りにくい素材で構成し、他の部分は滑りやすい素材で構成する等のバリエーションを有している。
【００１２】
ストラップ本体１は、その一端側にサルカン２の挿通口２ａを通って折り返される折返し片１ａを有しており、この折返し片１ａはストラップ本体１と縫い合わされることにより、ストラップ本体１は一端側でサルカン２に係止される。サルカン２には、ナスカン１０（図１（ｂ）では省略）が取り付けられており、このナスカン１０は、携行品、典型的にはバッグに取り付けられる。ストラップ本体１のサルカン２が配置される側の近傍であって、折返し片１ａが縫い合わされた面と反対側の面には、面ファスナ８が貼り付けられている。面ファスナ８は、後述する面ファスナ７と係合される。
【００１３】
ストラップ本体１は、その他端側にコキ４の挿通口４ｃ、４ｄを通って折り返される折返し片１ｂを有しており、この折返し片１ｂは、ストラップ本体１と縫い合わされる。折返し片１ｂが縫い合わされた位置よりも前記一端側において、ストラップ本体１はサルカン３に挿通されている。サルカン３には、ナスカン１１（図１（ｂ）では省略）が取り付けられており、このナスカン１１は、携行品、典型的にはバッグに取り付けられる。
サルカン３に挿通されている箇所よりも前記一端側において、ストラップ本体１は、コキ４の一方の面側から挿通口４ｃに挿通され、中軸４ｂに巻き掛けるようにして、他方の面側から挿通口４ｄに挿通されている。
挿通口４ｃ、４ｄを通るストラップ本体１はサルカン５の挿通口５ａに挿通される。サルカン５は、挿通口４ｃ、４ｄを順に通るストラップ本体１と中軸４ｂの間に存在する。挿通口５ａを通って折り返される操作片６が、サルカン５に取り付けられている。操作片６の一方の面側には、面ファスナ７が貼り付けられている。
【００１４】
次に、図２を参照して、ストラップ２０の動作を説明する。この動作は、伸長状態にあるストラップ２０を収縮状態にする例について説明する。なお、図２は、ストラップ２０のいくつかの部材は簡略化又は省略している。
図２（ａ）は、図示しないバッグに取り付けられていることを想定しており、ストラップ２０が伸長された状態を示している。この状態において、操作片６（図２では記載省略）をストラップ本体１から離れる向き（矢印で示し、図中では右向き）に引く。そうすると、図１（ｂ）に示すように、サルカン２とサルカン３との直線距離に対して余剰な長さ分のストラップ本体１が、コキ４から引き出される。引き出されるストラップ本体１は、コキ４から一端側に位置する部分である。
【００１５】
サルカン２とサルカン３の間の緩みが無くなると、コキ４からストラップ本体１はそれ以上引き出されなくなる。このとき、ストラップ本体１の２／３程度の長さがコキ４から引き出される。引き出された部分のストラップ本体１は、図１（ｃ）に示したように、サルカン２とサルカン３の間に配置される部分のストラップ本体１と重ねられる。実際には、面ファスナ７、８が備えられているので、これら面ファスナ７、８を係合させることにより、引き出された部分のストラップ本体１は固定される。またこのとき、ストラップ本体１は、見かけ上の長さが、伸長状態の１／３程度になる。
【００１６】
図２を用いた説明から明らかなように、ストラップ２０は、ストラップ本体１を引き出す過程で、ストラップ本体１同士が積層される箇所がない。したがって、ストラップ本体１同士の摩擦による負荷がなく、引き出し操作をスムーズに行うことができる。
【００１７】
次に、ストラップ２０をバッグ３０に適用した例について、図３を参照して説明する。バッグ３０は、上面に取っ手３１、両側面に取り付け金具３２が設けられている。
図３（ａ）に示すように、ストラップ２０のサルカン２、３に取り付けられたナスカン１０、１１が、バッグ３０の側面に設けられた取り付け金具３２に止着される。これにより、ストラップ２０は、バッグ３０に取り付けられる。図３（ａ）において、ストラップ２０は伸長状態となっており、ユーザはストラップ２０を肩にかけてバッグ３０を携行することができる。
【００１８】
伸長状態のストラップ２０を収縮させる動作が、図３（ｂ）から図３（ｄ）にかけて記載されている。
ユーザがストラップ２０を収縮させるときには、ユーザは一方の手でバッグ３０の取っ手３１を持つ。ユーザは他方の手で操作片６を掴み、かつバッグ３０から離すように引っ張る。そうすると、サルカン５を介して操作片６が取り付けられているストラップ本体１が、コキ４の挿通口４ｃ、４ｄから引き出される。ストラップ本体１をそれ以上引き出すことができないところまで操作片６を引っ張ったなら、ユーザは、操作片６をストラップ本体１に貼り付けられた面ファスナ８に位置合わせして、操作片６の裏側に貼り付けられている面ファスナ７を面ファスナ８に係合させる。これで、ストラップ２０の収縮操作が完了する。ストラップ２０は、バッグ３０の幅と同じくらいの長さに折畳まれ、バッグ３０に沿って保持されるから、バッグ３０をユーザが手で持って移動しても、何かに引っ掛かることがなく、また、地面に触れることもない。
【００１９】
ストラップ２０を伸長させるときは、ユーザは、バッグ３０の取っ手３１を一方の手で持ったまま、他方の手で操作片６をバッグ３０から離すように引っ張って、面ファスナ７と面ファスナ８の係合を解く。ついで、ユーザは、バッグ３０に近い側にあるストラップ本体１を、バッグ３０から離すように引き出す（図３（ｅ））。これ以上引き出せない位置までストラップ本体１を引き出すことにより、ストラップ本体１は伸長状態となる。
【００２０】
以上の通りであり、バッグ３０に取り付けられたストラップ２０は、操作片６を片手で操作することにより、ストラップ本体１の伸縮を行うことができる。しかも、ストラップ２０の場合は、ストラップ本体１同士の摩擦が生じない。つまり、従来のストラップ１００は、積層されたストラップ本体１０１同士に摩擦力が発生する構造ゆえ、ベルト１０１の表面が、低摩擦（滑りの良いもの）である必要があり、これはショルダストラップとしては、肩からずり落ちやすいという、致命的欠陥を生む。これに対して、本発明によるストラップ２０は、ストラップ本体１同士に摩擦が発生しない構造ゆえ、ストラップ本体１の素材に滑りの悪い素材を用いることができる。また、ストラップ２０の場合、コキ４へのストラップ本体１の噛み込みの問題は生じないので、ストラップ２０の伸縮操作をスムーズに行うことができる。
また、ストラップ２０は、既存のストラップに対して面ファスナ８、サルカン５及び面ファスナ７が貼り付けられた操作片６を取り付けるだけで容易に作製できるとともに、コストもかからない。
【００２１】
本実施形態によるバッグは、ストラップが必要なときだけ、バッグ本体からショルダストラップを瞬時に且つ十分な長さで引出すことができる。ストラップが不要なときには、ストラップをきわめて容易にバッグ上に折りたたんだ状態に戻すことができる。しかも、この操作が片手だけでできるので、バッグを持ったままでストラップの伸縮操作を行うことができる。本発明のストラップは、ブリーフケース、スポーツバッグ、 スーツケース、ガーメントバッグ、ハンドバッグ、ナップサック、トートバッグ、楽器ケース、釣具ケースなどのストラップを使用し得る各種のバッグに適用できる。
【００２２】
＜第２実施形態＞
ユーザは、自分の体格に応じてコキ４の位置を調整することにより、ストラップ２０の長さを調整することができる。この調整された長さを維持するために、ストラップ４０は、図４に示すように、サルカン１２を設けることができる。サルカン１２は、コキ４とサルカン３の間に配設され二重に重ねられているストラップ本体１が挿通される。サルカン１２に挿通されたストラップ本体１は、重ねられた状態でサルカン１２により挟持されているため、コキ４とサルカン３の間の長さが固定される。
【００２３】
＜第３実施形態＞
以上のストラップ２０は、コキ４が一つだけ設けられていたが、図５に示すストラップ５０のように、コキ１３（第２コキ）をもう一つ設けることができる。コキ１３は、ストラップ本体１の前記一端側に設けられている。コキ１３は、コキ４と同様に、概略ロ字状の外枠１３ａと、その中心部に中軸１３ｂを備え、挿通口１３ｃ、１３ｄを併設した構造になっている。これにより、ストラップの長さを使用者の好みの長さに調節するために、ストラップ本体１のサルカン２に対する折り返し位置を調整した後に、コキ１３の位置を調整することにより、ストラップ５０を縮めたときの長さを容易に一定に保つことができる。
【００２４】
＜第４実施形態＞
ストラップ２０が、既存のストラップに対して面ファスナ８、サルカン５及び面ファスナ７が貼り付けられた操作片６を取り付けるだけで、構成されることは前述したとおりであるが、既存のストラップに対して、より取り付けの容易な形態を第４実施形態として説明する。
第４実施形態によるストラップ６０を、図６（ａ）、（ｂ）に示す。ストラップ６０は、ストラップ２０と同様の構成部分を有しており、その部分には図１と同様の符号を付されている。
【００２５】
ストラップ６０は、第１面ファスナ部材１４、第２面ファスナ部材１５及びストラップ本体調節リング１８に特徴を有している。以下、図７をも参照して、ストラップ６０について説明する。
第１面ファスナ部材１４は、断面がＨ形の基材１４ａと、基材１４ａに貼り付けられた面ファスナ１４ｂとから構成される。基材１４ａは、面ファスナ１４ｂが貼り付けられた上板部１４ａ１と対向する下板部１４ａ２を備え、上板部１４ａ１と下板部１４ａ２の間に縦壁１４ａ３が設けられており、例えば、樹脂を射出成形して一体的に作製されている。下板部１４ａ２は、幅方向の中心部から外側に向けて、上板部１４ａ１との間隔が狭くなるように傾斜しており、矢印のように形成されている。
第１面ファスナ部材１４は、下板部１４ａ２の幅方向の中心をサルカン２の挿通口２ａに位置合わせしながら押し込む。下板部１４ａ２は、鳥が羽をたたむようにしてサルカン２の挿通口２ａを通過すると、元の形状に復帰する。そうすると、第１面ファスナ部材１４は、サルカン２に係止される。
【００２６】
次に、第２面ファスナ部材１５は、サルカン状の本体１５ａと、本体１５ａに巻き回された操作片１６と、操作片１６に貼り付けられた面ファスナ１７とから構成される。本体１５ａは、例えば、樹脂を射出成形して一体的に作製されている。本体１５ａは、その幅方向の一端に係合部１５ｂが設けられている。係合部１５ｂは、突起１５ｂ１と突起１５ｂ２を備え、突起１５ｂ１と突起１５ｂ２の係合を解いた状態で、ストラップ本体１の所定位置に着脱することができる。ストラップ本体１に取り付けた後には、突起１５ｂ１と突起１５ｂ２を係合させて、ストラップ本体１から外れるのを防止する。
【００２７】
ストラップ本体調節リング１８は、サルカン状の本体１８ａと、本体１８ａの幅方向の一端に設けられた係合部１８ｂと、本体１８ａから中心部に向かって突出する突起１８ｃとから構成される。係合部１８は、係合部１５と同様の構造をなしており、突起１８ｂ１と突起１８ｂ２の係合を解いた状態で、ストラップ本体１の所定位置に着脱することができる。ストラップ本体１に取り付けた後には、突起１８ｃがストラップ本体１を押圧して、ストラップ本体１の動きを拘束する。
例えば、第１面ファスナ部材１４、第２面ファスナ部材１５及びストラップ本体調節リング１８を、既製のストラップに取り付けることにより、本実施形態によるストラップ６０を構成することができる。
【００２８】
＜第５実施形態＞
次に、本発明による他のストラップ７０について、図８、図９に基づいて説明する。ストラップ７０の基本的な構成はストラップ５０と同様であり、同様の構成部分にはストラップ５０と同様の符号を図８、図９に付している。
ストラップ７０は、単一のストラップ本体１と、ストラップ本体１の一端側が挿通されるサルカン２と、ストラップ本体１の他端側が連結されるサルカン１９と、ストラップ本体１が挿通されるコキ１３及びサルカン３とから概略構成されている。サルカン１９は、金属製又はプラスチック製であり、挿通口１９ａを備えている。
【００２９】
ストラップ本体１は、その一端側に、コキ１３の挿通口１３ｃ、１３ｄ及びサルカン２の挿通口２ａを通って折り返される折返し片１ａを有している。コキ１３の概略ロ字状の外枠１３ａには、面ファスナ９が取り巻くような形で付けられている。面ファスナ９は、後述する面ファスナ７と係合される。
【００３０】
ストラップ本体１は、その他端側に、サルカン３の挿通口３ａを通って折り返される折返し片１ｂを有しており、この折返し片１ｂは、ストラップ本体１と縫い合わされる。折返し片１ｂが縫い合わされた位置よりも前記一端側において、ストラップ本体１はサルカン１９の挿通口１９ａに挿通されている。
サルカン３を通ってサルカン１９に挿通されるまでの間に位置するストラップ本体１は、サルカン５の挿通口５ａに挿通される。挿通口５ａを通って折り返される操作片６が、サルカン５に取り付けられている。操作片６の一方の面側には、面ファスナ７が貼り付けられている。
【００３１】
次に、図９を参照して、ストラップ７０の動作を説明する。この動作は、伸長状態にあるストラップ７０を収縮状態にする例について説明する。なお、図９は、ストラップ７０のいくつかの部材は簡略化又は省略している。
図９（ａ）は、ストラップ７０が伸長された状態を示している。この状態において、操作片６（図９では記載省略）をストラップ本体１から離れる向き（矢印で示すように、図中では右向き）に引く。そうすると、図９（ｂ）に示すように、サルカン２とサルカン３との間の直線距離に対して余剰な長さ分のストラップ本体１が、サルカン１９から引出される。
【００３２】
サルカン２とサルカン３の間の緩みが無くなると、サルカン１９からストラップ本体１はそれ以上引き出されなくなる。このとき、ストラップ本体１の２／３程度の長さがサルカン１９から引き出される。引き出された部分のストラップ本体１は、図９（ｃ）に示したように、サルカン２とサルカン３の間に配置される部分のストラップ本体１と重ねられる。このとき面ファスナ７、９を係合させることにより、引き出された部分のストラップ本体１は固定される。またこのとき、ストラップ本体１は、見かけ上の長さが、伸長状態の１／３程度になる。
【００３３】
ストラップ７０は、ストラップ２０と同様に、操作片６を片手で操作することにより、ストラップ本体１の伸縮を行うことができる。しかも、ストラップ本体１同士の摩擦が生じない上、サルカン１９へのストラップ本体１の噛み込みの問題も生じないので、ストラップ７０の操作をスムーズに行うことができる。
なお、第１〜第４実施形態に係るストラップ２０〜６０は、コキ４が取り付けられた長さ調節の可能な従来のストラップに、基本的には操作片６を付加することで簡便な伸縮の機能を追加することを目的に発明がなされた。これに対して第５実施形態に係るストラップ７０は、コキ４をサルカン１９に置き換えたものである。サルカン１９ではストラップ７０の長さを調節し、かつその長さを一定に保つ（以下、単に長さを調節する、と総称する）ことができないため、ストラップ７０は、コキ１３を一端側に装着することにより、ストラップ７０の長さを調節することができるようになる。次に説明する第６実施形態も同様である。
【００３４】
＜第６実施形態＞
次に、本発明による他のストラップ８０について、図１０に基づいて説明する。ストラップ８０の基本的な構成はストラップ７０と同様であり、同様の構成部分にはストラップ７０と同様の符号を図１０に付している。
ストラップ８０は、単一のストラップ本体１と、ストラップ本体１の一端側が係止されるサルカン２と、ストラップ本体１の他端側が連結されるサルカン１９と、ストラップ本体１が挿通されるサルカン３とから概略構成されている。
【００３５】
ストラップ本体１は、その一端側に、サルカン２の挿通口２ａを通って折り返される折返し片１ａを有しており、この折返し片１ａはストラップ本体１と縫い合わされることにより、ストラップ本体１の他端側がサルカン２に係止される。ストラップ本体１には、面ファスナ８が貼り付けられている。面ファスナ８は、後述する面ファスナ７と係合される。
【００３６】
ストラップ本体１は、その他端側に、サルカン３の挿通口３ａを通って折り返される折返し片１ｂを有しており、この折返し片１ｂは、ストラップ本体１と縫い合わされる。折返し片１ａの先端は、サルカン１９に係止され、かつ折返し片１ｂが縫い合わされた位置よりも他端部側において、ストラップ本体１はサルカン１９の挿通口１９ａに挿通されている。
サルカン３を通ってサルカン１９に挿通されるまでの間に位置するストラップ本体１に、コキ２２（第２コキ）が取り付けられている。コキ２２は概略ロ字状の外枠２２ａと、その中心部に中軸２２ｂを形成し、挿通口２２ｃ、２２ｄを併設した構造になっている。ストラップ本体１は一方の面側から挿通口２２ｃに挿通され、中軸２２ｂに巻き掛けられるようにして、他方の面側から挿通口２２ｄに挿通される。さらに、ストラップ本体１は、サルカン１９の挿通口１９ａを通過して、挿通口２２ｄに前記一方の面側から挿通されている。
コキ２２の外枠２２ａには操作片６が取り付けられており、操作片６の一方の面側には、面ファスナ７が貼り付けられている。
【００３７】
ストラップ８０は、図１０において、操作片６を図中の左側に引っ張ることにより、短くすることができる。また、その状態から、操作片６を図中の右側に引っ張ることにより、長くすることができる。
【００３８】
ストラップ８０は、ストラップ７０と同様に、操作片６を片手で操作することにより、ストラップ本体１の伸縮を行うことができる。しかも、ストラップ本体１同士の摩擦が生じたとしても、コキ２２の挿通口２２ｄの内部における一箇所のみであり、かつコキ２２へのストラップ本体１の噛み込みの問題は生じないので、ストラップ８０の操作をスムーズに行うことができる。また、ストラップ８０もまた、既存のストラップに対して面ファスナ８、面ファスナ７が貼り付けられた操作片６を取り付けるだけで、構成することができる利便性がある。
さらにストラップ８０は、面ファスナ７、８の係合を行わずに手を離した場合でも、一時的にはストラップ本体１が縮められた状態を保つことが可能であり、使用上、伸縮が頻繁に行われるような場合には操作性が向上するという効果を奏する。
【００３９】
以上、本発明による実施形態を説明した。しかし、これらが本発明の範囲を確定するものでなく、以上説明した実施形態に種々の変更を加えることができる。例えば、第１〜第６実施形態では、操作体（操作片６）をストラップ本体１の一端側に固定する固定手段として面ファスナ（７、８）を用いたが、例えばホックを当該固定手段とすることもできるし、その他の固定、固定の解除が片手で容易に行なうことのできる部材を用いることができる。
【図面の簡単な説明】
【００４０】
【図１】第１実施形態におけるストラップの構成を示す図であって、（ａ）は平面図、（ｂ）は断面図である。
【図２】第１実施形態によるストラップの動作を説明する図である。
【図３】第１実施形態によるストラップをバッグに取り付けた状態で伸縮動作する図である。
【図４】第２実施形態によるストラップを示す図であって、（ａ）は平面図、（ｂ）は断面図である。
【図５】第３実施形態によるストラップを示す図であって、（ａ）は平面図、（ｂ）は断面図である。
【図６】第４実施形態によるストラップを示す図であって、（ａ）は平面図、（ｂ）は断面図である。
【図７】第４実施形態によるストラップに用いる部材を示す図であって、（ａ）は第２面ファスナ部材、（ｂ）は第１面ファスナ部材、（ｃ）はストラップ本体調節リング、である。
【図８】第５実施形態によるストラップを示す図であって、（ａ）は平面図、（ｂ）は断面図である。
【図９】第５実施形態によるストラップの動作を説明する図である。
【図１０】第６実施形態によるストラップを示す図であって、（ａ）は平面図、（ｂ）は断面図である。
【図１１】特許文献３に記載されたストラップを示す断面図である。
【図１２】特許文献３に記載されたストラップをバッグに取り付けた状態を示す断面図である。
【符号の説明】
【００４１】
２０，４０，５０，６０，７０，８０…ストラップ
１…ストラップ本体、
４，１３，２２…コキ、４ａ，１３ａ，２２ａ…外枠、４ｂ，１３ｂ，２２ｂ…中軸、４ｃ，１３ｃ，２２ｃ…挿通口、４ｄ，１３ｄ，２２ｄ…挿通口、
５，１９…サルカン、５ａ，１９ａ…挿通口
６，１６…操作片
７，８，９，１７…面ファスナ
１４，１５…面ファスナ部材、１４ａ…基材、１４ａ１…上板部、１４ａ２…下板部、１４ａ３…縦壁、１４ｂ…面ファスナ、１５…面ファスナ部材、１５ａ，１８ａ…サルカン本体、１５ｂ，１８ｂ…係合部、１５ｂ１，１５ｂ２，１８ｂ１，１８ｂ２，１８ｃ…突起
１８…ストラップ本体調節リング
３０…バッグ
【図１】
2009165773.tif 000003
【図２】
2009165773.tif 000004
【図３】
2009165773.tif 000005
【図４】
2009165773.tif 000006
【図５】
2009165773.tif 000007
【図６】
2009165773.tif 000008
【図７】
2009165773.tif 000009
【図８】
2009165773.tif 000010
【図９】
2009165773.tif 000011
【図１０】
2009165773.tif 000012
【図１１】
2009165773.tif 000013
【図１２】
2009165773.tif 000014